(57)【特許請求の範囲】
【請求項１】
硬貨の投入により施錠可能とし、解錠した時に硬貨を投入可能とするとともに施錠を不可とするように制御する制御手段を有するコインロッカー装置において、
施錠および解錠を検出する施解錠検出スイッチと、
予め設定されている一定時間を計時するタイマーを備え、
前記制御手段は、前記施解錠検出スイッチにより施錠が検出されると前記タイマーをスタートさせ、前記タイマーの計時状態を監視し、前記タイマーの計時が終了する前に解錠された場合には施錠を可能とし、前記タイマーの計時が終了し、かつ、解錠された場合に、硬貨を投入可能とするとともに施錠を不可とするものであることを特徴とするコインロッカー装置。
【請求項２】
前記硬貨を投入可能とすることと施錠を不可とすることとをソレノイド手段を介して連動させたことを特徴とする請求項１記載のコインロッカー装置。
【発明の詳細な説明】
【０００１】
【産業上の利用分野】
本発明は、硬貨を投入した後に施錠するコインロッカー装置に関する。
【０００２】
【従来の技術】
従来、上記のようなコインロッカー装置は、キーが錠装置に挿入されて解錠回転された空状態で待機している。そしてこの空状態では硬貨の投入が可能となっており、また硬貨を投入しないと施錠できないようになっている。
【０００３】
このようなコインロッカー装置を使用するには、先ずコインロッカー装置の扉を開けて、ロッカー室内に荷物を搬入する。次に扉を閉めて所定料金の硬貨を硬貨投入口から投入する。次にキーを施錠回転して引き抜くことにより、コインロッカー装置が使用状態となる。
【０００４】
このコインロッカー装置から荷物を取り出すには、コインロッカー装置の錠装置にキーを挿入して解錠回転することにより、その錠装置は解錠される。このときコインロッカー装置は空状態となる。
【０００５】
【発明が解決しようとする課題】
しかしながら、キーを引き抜いてコインロッカー装置が使用状態となった後に、荷物の入れ忘れに気付いたり、荷物の入れ過ぎに気付いたりした場合にコインロッカー装置を開ける必要があった。特に、コインロッカー装置の設置場所から少し離れたときに気付いて開ける必要を生ずることが多かった。このような場合にも、上記従来のコインロッカー装置では、キーを挿入して解錠するとコインロッカー装置は空状態となってしまう。このため、所定料金の硬貨を再度投入しないと施錠できないという問題があった。
【０００６】
そこで本発明の目的は、コインロッカー装置が使用状態となった後、硬貨を再度投入することなく再施錠することができるようにしたコインロッカー装置を提供することにある。
【０００７】
【課題を解決するための手段】
上記課題を解決するためになした本発明のコインロッカー装置は、硬貨の投入により施錠可能とし、解錠した時に硬貨を投入可能とするとともに施錠を不可とするように制御する制御手段を有するコインロッカー装置において、施錠および解錠を検出する施解錠検出スイッチと、予め設定されている一定時間を計時するタイマーを備え、前記制御手段は、前記施解錠検出スイッチにより施錠が検出されると前記タイマーをスタートさせ、前記タイマーの計時状態を監視し、前記タイマーの計時が終了する前に解錠された場合には施錠を可能とし、前記タイマーの計時が終了し、かつ、解錠された場合に、硬貨を投入可能とするとともに施錠を不可とするものであることを特徴とする。
【０００８】
また、前記硬貨を投入可能とすることと施錠を不可とすることとをソレノイド手段を介して連動させることが好ましい。
【０００９】
【作用】
本発明のコインロッカー装置において、タイマーの計時時間は、一定時間が予め設定され、タイマーはこの設定された一定時間を計時する。
【００１０】
また、制御手段は、タイマーを施錠してからスタートさせ、タイマーの計時状態を監視し、タイマーの計時が終了し、かつ、解錠された場合に、硬貨を投入可能とするとともに施錠を不可とする。
【００１１】
したがって、タイマーの計時が終了するまでは、施錠してキーを抜いた後でも、硬貨を再度投入することなく解錠および施錠することができる。
【００１２】
【実施例】
以下、本発明の一実施例を図１〜６を参照しながら説明する。
【００１３】
図３は一実施例に係わるコインロッカー装置の錠装置の正面図である。この錠装置は、施錠してキー２５を抜いた後でも、硬貨を再度投入することなく解錠および施錠することができるようにしたものである。
【００１４】
図において、この錠装置の前面板２１には、基本料金等を表示する表示窓であるＬＣＤ２０と、ロッカーの使用者が使用前に硬貨を投入する硬貨投入口２２と、キー挿入口２４を有するシリンダー錠２３とを備え、内部には硬貨の投入が可能かどうかおよびキー２５操作が可能かどうかを制御する制御装置１０を備えている。そして、コインロッカー装置を使用していない空状態のとき、図示したようにキー挿入口２４にはキー２５が挿入されている。
【００１５】
図４は錠装置部分の縦断側面図、図５は解錠状態を示す同縦断背面図、図６は施錠状態を示す同縦断背面図である。図において、錠装置は、硬貨Ｃが投入されたかどうかを検出するフォトインタラプタ３０と、キー２５の回動の可不可および硬貨Ｃ投入の可不可のための駆動手段である出没自在なコア部４１を備えるソレノイド手段４０と、施錠および解錠を検出する施解錠検出スイッチ７０と、キー２５の挿入状態および抜出状態を検出するキー抜き差し検出スイッチ８０とを備えている。
【００１６】
前記フォトインタラプタ３０は、硬貨が通過する通路を挟むＬＥＤ（発光ダイオード）とフォトトランジスタとで構成されている。そして通電によりＬＥＤが発光し、通過する硬貨によってこの光が遮られたことをフォトトランジスタで検出する。そしてこの検出信号は制御部に入力され、この制御部で硬貨の個数がカウントされる。
【００１７】
前記ソレノイド手段４０は、制御部１０からの信号を受けて２安定位置をそれぞれ保持し、シリンダー錠２３を回動できないようにロックした状態（ソレノイドのコア上動位置、なお上動位置に関連する部分は実線で示す）とシリンダー錠２３を回動できるようにロックを解除した状態（ソレノイドのコア下動位置、なお下動位置に関連する部分は鎖線で示す）との何れかの状態を保持する。
【００１８】
ソレノイド４０のコア部４１の上動により、このコア部４１先端部に取り付けられているアーム部材４２にピン４３を介して係合している連動レバー４４が軸４５を中心として反時計方向に回転し、先端のピン４６は下降する（図５参照）。このピン４６の下降により、ばね４７により軸４８まわりに反時計方向（図５および６中で）に付勢されてピン４９に係合しているレバー５０がフリーとなり、シリンダー錠２３と一体に回動するレバー５１に固設されたピン４９に係合する（この状態を図５に示す。）。
【００１９】
前記ピン４９は円弧状孔部５２内で左端の解錠位置と右端の施錠位置との間を移動するように構成されているが、前述したようにレバー５０がピン４９に係合している場合には解錠位置（左端位置）にあるシリンダー錠２３の施錠回転が規制される（図５参照）。なお、前記レバー５１はその上端部のピン５３が施錠板５４の切欠き部５５に係合しているので、図６に示すように施錠状態では施錠板５４が側方に突出して図示しないロッカー扉に係合してロッカー扉が閉状態に保持される。
【００２０】
また、ソレノイド４０のコア部４１の上動により、連動レバー４４に固定されているアーム部材５６が軸４５廻りに反時計方向に回動する。このアーム部材５６の回動により、アーム部材５６先端のピン５７に係合している略Ｌ字形のアーム部材５８が軸５９廻りに時計方向に回動する。このＬ字形アーム部材５８の回動によりＬ字形アーム部材５８先端に対面していた硬貨投入阻止レバー６０が軸６１廻りに回動可能となる。そして、この硬貨投入阻止レバー６０は巻きばね６２で反時計方向に付勢されているので、この付勢力に抗して硬貨投入口２２から硬貨Ｃが投入された場合に硬貨投入阻止レバー６０は時計方向に回動することができる。したがって、硬貨Ｃの投入が可能の状態となる。このようにソレノイド４０のコア部４１の上動により、シリンダー錠２３の施錠回転の規制と硬貨Ｃの投入を可能の状態とすることを連動して行うことができる。
【００２１】
また、ソレノイド４０のコア部４１の下動により、このコア部４１先端に取り付けられているアーム部材４２に係合している連動レバー４４が軸４５を中心として時計方向に回転し、先端のピン４６は上昇する。このピン４６の上昇により、ばね４７により軸まわりに反時計方向に付勢されているレバー５０にピン４６が係合し、このレバー５０を時計方向に回動して円弧状孔部５２が露出する。このようにして施錠位置にあるシリンダー錠２３の解錠回転が可能となる（図６参照）。
【００２２】
更に、ソレノイド４０のコア部４１の下動により、連動レバー４４に固定されているアーム部材５６が軸４５廻りに時計方向に回動する。このアーム部材５６の回動により、アーム部材５６先端のピン５７に係合している略Ｌ字形のアーム部材５８が軸５９廻りに反時計方向に回動する。このＬ字形アーム部材５８の回動により硬貨投入阻止レバー６０の端部がＬ字形アーム部材５８先端に対向し、硬貨投入阻止レバー６０の軸６１廻りの回動が規制される。したがって、硬貨Ｃの投入が不可能の状態となる。
【００２３】
前記施解錠検出スイッチ７０はマイクロスイッチから構成され、このマイクロスイッチ７０は、ピン４９が円弧状孔部５２内で回動されると接点の開閉を行い、施錠状態および解錠状態を検知する。
【００２４】
前記キー抜き差し検出スイッチ８０もマイクロスイッチから構成され、このマイクロスイッチ８０は、キー２５の挿入に対応して突出し、キー２５の抜出に対応して没入方向に移動するロッド８１により接点の開閉を行い、キー２５が挿入されているかどうかを検知する。
【００２５】
図１は実施例におけるブロック図である。制御手段１０は図示しないＲＡＭ、ＲＯＭ、Ｉ／Ｏポート等を含むマイクロコンピュータで構成され、ＲＯＭに記憶されている制御プログラムに基づいて後述説明するように各部の制御を行う。前記制御手段１０のＩ／ＯポートにはＬＣＤ２０、フォトインタラプタ３０、ソレノイド４０、マイクロスイッチ７０、８０およびタイマー９０が接続されている。
【００２６】
図２は、制御部１０の制御フローを示すフローチャートであり、同図に基づいて動作を説明する。
【００２７】
制御プログラムが起動されると、ＬＣＤ２０に基本料金を表示する（ステップ１）。
【００２８】
硬貨Ｃが投入されたかどうかをフォトインタラプタ３０により監視して硬貨Ｃが投入されるまで待機する（ステップ２）。
【００２９】
硬貨Ｃが投入されるとその投入金額に応じて投入金額の合計と基本料金との差額をＬＣＤ２０に表示する（ステップ３）。
【００３０】
差額が０かどうかを判定し、差額が０になるまで待機し（ステップ４）、差額が０になった場合には、ソレノイド４０を下動させてキー２５の施錠回転を可能とするとともに、硬貨Ｃの投入を阻止にする（ステップ５）。
【００３１】
施錠されたかどうかをマイクロスイッチ７０の開閉状態で検知して判定し、施錠された場合にはタイマー９０のスタート信号を出力し、施錠されない場合には待機する（ステップ６）。
【００３２】
施錠された場合には、タイマー９０のスタート信号に基づいて、タイマー９０をリセットしてから起動させる（ステップ７）。
【００３３】
解錠されたかどうかをマイクロスイッチ７０の開閉状態で検知して判定し（ステップ８）、解錠された場合にはステップ６に戻り、施錠されたかどうかをマイクロスイッチ７０の開閉状態で検知して判定し、施錠された場合にはタイマー９０のスタート信号を出力する。
【００３４】
解錠されない場合には、キー２５が抜かれたかどうかをマイクロスイッチ８０の開閉状態で検知して判定し（ステップ９）、キー２５が抜かれていない場合には、ステップ８に戻って解錠されたかどうかをマイクロスイッチ７０の開閉状態で検知して判定する。
【００３５】
キー２５が抜かれた場合には、キー２５が挿入されたかどうかをマイクロスイッチ８０の開閉状態で検知して判定し、キー２５が挿入されるまで待機する（ステップ１０）。
【００３６】
キー２５が挿入された場合には、予め設定されている設定時間と、タイマー９０がタイムアップしているか否かを判定する（ステップ１１）。タイムアップしていない場合には、ステップ８に戻って、解錠されたかどうかをマイクロスイッチ７０の開閉状態で検知して判定する。そして、解錠された場合にはステップ６に戻って、施錠されたかどうかをマイクロスイッチ７０の開閉状態で検知して判定し、施錠された場合にはタイマー９０のスタート信号を出力してステップ７でタイマー９０をリセットしてから再スタートさせる。
【００３７】
タイムアップしている場合には、解錠されたかどうかをマイクロスイッチ７０の開閉状態で検知して判定し、解錠されるまで待機する（ステップ１２）。解錠された場合には、ソレノイド４０を上動させてキー２５の施錠回転を不可能とするとともに、硬貨Ｃの投入を可能にする（ステップ１３）。
【００３８】
このように、コインロッカー装置を施錠してキー２５を抜いたあとにキー２５を挿入した場合でも、タイマー９０がスタートしてからの設定時間が経過するまでは、コインＣを投入することなく再施錠することが出来る。
【００３９】
そして、上述したように施錠した後のステップ７でタイマスタート時にリセットして０からスタートするようにしている場合（即ち、タイマー９０を常に０からスタートするようにしている場合）には、タイマー９０が再スタートしてから再び設定時間（例えば１０分）が経過するまでは、コインＣを投入することなく再再施錠することが出来る。即ち、施錠した後のタイマースタートから設定時間経過前に少なくとも１回解錠して施錠すれば、いくら時間が経過しても硬貨Ｃを投入することなく施錠することができる。
【００４０】
なお、ステップ７のタイマスタートにおいて、ステップ６の第１回目の施錠の直後のタイマスタートではリセットして０からスタートさせるようにし、ステップ１０と１１との間にタイマー９０を一時ストップするステップを設け、ステップ６の２回目以降の施錠の後のタイマスタートでは一時ストップした状態から再スタートさせるようにしてもよい。このように構成した場合には、予め設定する時間（例えば１０分）を超えたらステップ１２に移行し、設定時間を超えると再施錠できないようにすることができる。
【００４１】
【発明の効果】
以上の説明から明らかな如く本発明のコインロッカー装置によれば、硬貨の投入により施錠可能とし、解錠した時に硬貨を投入可能とするとともに施錠を不可とするように制御する制御手段を有するコインロッカー装置において、施錠および解錠を検出する施解錠検出スイッチと、予め設定されている一定時間を計時するタイマーを備え、前記制御手段は、前記施解錠検出スイッチにより施錠が検出されると前記タイマーをスタートさせ、前記タイマーの計時状態を監視し、前記タイマーの計時が終了する前に解錠された場合には施錠を可能とし、前記タイマーの計時が終了し、かつ、解錠された場合に、硬貨を投入可能とするとともに施錠を不可とするようにしたので、施錠回転されたキーが引き抜かれた状態の使用状態となった後、硬貨を再度投入することなく再施錠することができる。
【図面の簡単な説明】
【図１】一実施例におけるブロック図である。
【図２】一実施例における制御部の制御フローを示すフローチャートである。
【図３】一実施例におけるコインロッカー装置の錠装置の正面図である。
【図４】一実施例における錠装置部分の縦断側面図である。
【図５】一実施例における解錠状態を示す同縦断背面図である。
【図６】一実施例における施錠状態を示す同縦断背面図である。
【符号の説明】
Ｃ    硬貨
１０    制御手段
２０    ＬＣＤ
３０    フォトインタラプタ
４０    ソレノイド
７０    マイクロスイッチ
８０    マイクロスイッチ
９０    タイマー
【図１】
0003588147.tif 000002
【図２】
0003588147.tif 000003
【図３】
0003588147.tif 000004
【図４】
0003588147.tif 000005
【図５】
0003588147.tif 000006
【図６】
0003588147.tif 000007